(57)【要約】【課題】簡易な構成で高速な周波数遷移が可能な周波数掃引回路を提供する。【解決手段】周波数を変調する周波数掃引回路であって、単一の周波数を発振する単一周波数発振器１０と、時間的に変化する操作信号を入力し、当該操作信号に従って位相回転量を変化させることにより、前記単一の周波数を変調させる可変位相器２０とを有する。【選択図】図１
2011147005.tif 000002
【特許請求の範囲】
【請求項１】
周波数を変調する周波数掃引回路であって、
単一の周波数を発振する単一周波数発振器と、
時間的に変化する操作信号を入力し、当該操作信号に従って位相回転量を変化させることにより、前記単一の周波数を変調させる可変位相器と、を有すること
を特徴とする周波数掃引回路。
【請求項２】
請求項１記載の周波数掃引回路であって、
前記入力される操作信号は、時間に対する所定の１次関数で表される電圧であって、
前記可変位相器は、前記入力される電圧に対し、所定の２次関数に従って変化させた位相回転量で、前記単一の周波数を変調させること
を特徴とする周波数掃引回路。
【発明の詳細な説明】
【技術分野】
【０００１】
本発明は、操作信号に従って基準周波数を変調させる周波数掃引回路に関する。
【背景技術】
【０００２】
ＦＭ−ＣＷレーダーは、対象物との距離測定を行うレーダーの一種であり、気象変動の測定や障害物測定などに用いられる。ＦＷ−ＣＷレーダーは、のこぎり歯状波で周波数変調した送信波を発射し、ターゲットによって散乱してきた受信波を送信波の一部と合成することによってターゲットまでの距離に比例した周波数を得ることができる（非特許文献１参照）。よってＦＭ−ＣＷレーダーを実現するにあたっては、のこぎり歯状波の周波数変調信号を発生可能な周波数掃引回路が必要となる。
【０００３】
周波数掃引回路として最もよく用いられる手法がＶＣＯ（Voltage Controlled Oscillator）を用いる手法である。ＶＣＯとは、発振する周波数を印加電圧によって制御可能な発振器であり、印加電圧を適切に変化させることにより、のこぎり歯状波に周波数が変化する信号を発射させることが可能である。ＶＣＯは、共振回路の共振条件を電圧によって変化させることによって発振周波数が可変となるが、温度などの条件によって共振周波数が変化し易いことから、ＰＬＬ（Phase locked loop）を併用することが多い。
【０００４】
図４に、ＰＬＬを使用した周波数発振器を示す。ＰＬＬとは、水晶振動子から発振される高精度な基準信号と、ＶＣＯの出力信号とを位相比較器で比較して、フィードバックをかけることによりＶＣＯの発振周波数を高精度化する技術である。
【０００５】
ＰＬＬを使用した周波数掃引回路については、例えば特許文献１に記載されている。
【先行技術文献】
【非特許文献】
【０００６】
【非特許文献１】電子情報通信学会  編「アンテナ工学ハンドブック」、オーム社
【特許文献】
【０００７】
【特許文献１】特開２００５−１５０８５６号公報
【発明の概要】
【発明が解決しようとする課題】
【０００８】
ＰＬＬを使用するＶＣＯでは、水晶振動子の発振信号との比較を行うために、周波数変化に要する時間が長い。その結果、周波数掃引の時間が長くなるという問題がある。周波数掃引の時間が長くなると、ＦＭ−ＣＷレーダーの最大測定距離が不必要に増大し、周波数掃引幅の使用効率が劣化する。以下にこの問題の一例を挙げる。
【０００９】
必要な最大測定距離が1.5kmで周波数の最大遷移幅が100MHzの場合を考える。この場合、10マイクロ秒を周波数掃引の繰り返し時間とすれば、ターゲットまでの距離が0〜1.5kmの時の受信波の合成周波数が0 〜100MHzとなり、周波数遷移幅全てを使用した距離測定が可能である。しかしながらＶＣＯによる周波数掃引時間の制限により、1ミリ秒を周波数掃引の繰り返し時間とした場合、ターゲットまでの距離が0〜1.5kmの時の受信波の合成周波数が0 〜1MHzとなり、周波数遷移幅の９９％にあたる1MHz〜100MHzの周波数範囲を使用しないことになる。
【００１０】
周波数掃引速度を向上させるため、ＰＬＬを用いない手法が考えられるが、その場合、気温などによる周波数シフトが大きいため、使用を許可された周波数帯外に信号を発信してしまう恐れがある。
【００１１】
このような問題に対して、特許文献１では、ＰＬＬに加えてメモリ回路を用いることによって高速・高精度な周波数変調を可能とする周波数掃引発振回路を提案している。しかしながら、特許文献１の構成においては、ＰＬＬの構成に加え、メモリ回路、ＣＰＵなどが必要となり、回路規模および作製コストが増大するという問題がある。
【００１２】
本発明は上記事情に鑑みてなされたものであり、本発明の目的は、簡易な構成で高速な周波数遷移が可能な周波数掃引回路を提供することにある。
【課題を解決するための手段】
【００１３】
上記目的を達成するため、第１の本発明は、周波数を変調する周波数掃引回路であって、単一の周波数を発振する単一周波数発振器と、時間的に変化する操作信号を入力し、当該操作信号に従って位相回転量を変化させることにより、前記単一の周波数を変調させる可変位相器と、を有することを要旨とする。
【００１４】
また、第２の本発明は、前記第１の本発明において、前記入力される操作信号は、時間に対する所定の１次関数で表される電圧であって、前記可変位相器は、前記入力される電圧に対し、所定の２次関数に従って変化させた位相回転量で、前記単一の周波数を変調させることを要旨とする。
【発明の効果】
【００１５】
本発明によれば、簡易な構成で高速な周波数遷移が可能な周波数掃引回路を提供することができる。
【図面の簡単な説明】
【００１６】
【図１】本発明の第１の実施形態に係る周波数掃引回路の構成図である。
【図２】可変位相器の一例を示す構成図である。
【図３】本発明の第２の実施形態に係る周波数掃引回路の構成図である。
【図４】ＰＬＬを使用した周波数発振回路の回路図である。
【発明を実施するための形態】
【００１７】
［第１の実施形態］
図１は、本発明の第１の実施形態に係る周波数掃引回路を示す図である。
【００１８】
本実施形態の周波数掃引回路は、単一周波数発振器１０と、外部からの操作信号によって内部の実効的な電気長を変化させる可変位相器２０とを有する。可変位相器２０を通過時の位相回転量を変化させることによって、単一周波数発振器１０から入力される単一の周波数を変調する点が特徴である。
【００１９】
なお、可変位相器２０に入力される操作信号は、時間とともに変化する操作信号であって、当該周波数掃引回路を適用する装置が所望する周波数変調を行うために適切な操作信号である。例えば、周波数掃引回路をＦＭ−ＣＷレーダーに適用する場合、ＦＭ−ＣＷレーダーが要求する所定の周波数掃引幅ののこぎり波状の周波数変調を行うために、周期的に時間変化する適切な操作信号を入力する。
【００２０】
以下に本実施形態の動作原理を説明する。
【００２１】
単一周波数発振器１０から発生した周波数f0の信号の位相について、可変位相器２０に入力時を2πf0t、出力時をθ(t)とすると、それらの関係は下記の式１で記述することができる。
【数１】
2011147005.tif 000003
【００２２】
ここでGは、可変位相器２０で発生する位相回転量であり、可変位相器２０の電気長が変化しない場合は定数となる。さらに式１の両辺の時間微分を取って、可変位相器２０の出力における角周波数ω1を求めると、下記の式２となる。
【数２】
2011147005.tif 000004
【００２３】
このように時間変化する操作信号によって可変位相器２０の電気長を変化させ、位相回転量を変化、即ち位相回転量Gを時間変化させることによって、周波数を変化させることができる。
【００２４】
本実施形態の周波数掃引回路においては、基本周波数であるf0の発生源には単一周波数発振器１０を使用することができる。そのため、本実施形態では、ＶＣＯとその制御回路を必要とせず、周波数掃引回路を安価に製造可能である。すなわち、本実施形態では、簡易な構成で周波数遷移が可能な周波数掃引回路を提供することができる。
【００２５】
また、本実施形態による周波数遷移の周期は、位相回転量Gの変化速度に依存するため、例えば高速動作が可能な半導体回路による可変位相器２０を用いた場合、高速での周波数変調が可能である。可変位相器２０としては、例えば、導波管及び同軸線路などの導波路の長さを物理的に変化させるものや、可変接地容量を配した伝送線路を設計し、容量を変化させることによって、実効的な電気長を変化させる手法などが挙げられる。しかしながら本発明はこれらに限定されず、掃引したい周波数の信号が通過可能であり、所望の位相範囲が変化可能な可変位相器であれば何でも良い。
【００２６】
なお、本実施形態の周波数掃引回路から出力される周波数変調信号は、例えば、ＦＭ−ＣＷレーダーの送信波の変調、または分光などに適用することができる。
【００２７】
［第２の実施形態］
図２は、本発明の第２の実施形態に係る周波数掃引回路を示す図である。
【００２８】
本実施形態は、入力されるコントロール電圧に対し位相回転量Δθが下記式３の２次関数で記述できる可変位相器２０Ａを使用している点において第１の実施形態と異なり、ＦＭ−ＣＷレーダーなどへの適用がより容易となる。
【数３】
2011147005.tif 000005
【００２９】
ここでα及びβは、位相回転量Δθが印加電圧Vの２次関数として記述される際の所定の係数と定数である。このα及びβは、設計者の任意で設定可能である。
【００３０】
第１の実施形態においては、ＦＭ−ＣＷレーダーが所望するのこぎり歯状の周波数変調を行うためには、適切な操作信号を可変位相器２０に入力する必要がある。例えば、操作信号として電圧を使用する場合、複雑な時間変化の操作信号（電圧）を発生させる信号発生器を作製する必要がある。
【００３１】
本実施形態では、入力される電圧に対し、式３に従って位相回転量を変化させる可変位相器２０Ａを使用することによって、単純な時間変化の操作信号（電圧）でものこぎり波状の周波数変調が可能となる。以下に本実施形態の動作を説明する。
【００３２】
本発明の可変位相器２０Ａに印加するコントロール電圧を、以下の式４とする。
【数４】
2011147005.tif 000006
【００３３】
ここでγ及びηは、電圧Vが時間の１次関数として記述される際の所定の係数と定数であり、設計者の任意で設定可能である。式３および式４を式２に代入すると、下記の式５となる。
【数５】
2011147005.tif 000007
【００３４】
すなわち、可変位相器２０Ａから出力される周波数f(t)は、以下の式６となり、時間に対する所定の１次関数で記述することができる。
【数６】
2011147005.tif 000008
【００３５】
すなわち本実施形態の構成を用いて、時間に対する所定の１次関数で表される電圧を印加することによって、可変位相器２０Ａから出力される周波数も１次関数で変化させることができる。このような本実施形態で用いる電圧の電圧源は、例えばのこぎり波を発生させる電圧源を用いても良いし、可変抵抗を使った電源回路を構成しても容易に実現可能である。
【００３６】
図３は、本実施形態の可変位相器２０Ａの一例を示す構成図である。図示する可変位相器２０Ａは、少なくとも１つの伝送線路２２と、少なくとも１つの電界効果トランジスタ（ＦＥＴ）２３とから構成される位相器と、当該位相器にコントロール電圧を印加するための電圧回路２１とを有する。位相器は、電界効果トランジスタ２３の寄生容量であるゲート−ドレイン間容量と、ゲート−ソース間容量とを、電界効果トランジスタ２３のゲートに印加する電圧によって変化させることにより、位相回転量を調整することが可能である。
【００３７】
位相の可変量は、本可変位相器２０Ａにおいて接続されている電界効果トランジスタ２３の数で調整できるため、設計者が任意に設計可能である。また、高速動作が可能な電界効果トランジスタ２３を用いることによって、コントロール電圧の急激な変化に対しても十分な応答性で位相回転量を変化させることができる。
【００３８】
以上説明した本実施形態では、第１の実施形態と同様に、基本周波数であるf0の発生源には単一周波数発振器１０を使用することができため、ＶＣＯとその制御回路を必要とせず、周波数掃引回路を安価に製造可能である。すなわち、本実施形態では、簡易な構成で高速な周波数遷移が可能な周波数掃引回路を提供することができる。
【００３９】
また、本実施形態の周波数掃引回路から出力される周波数変調信号は、第１の実施形態と同様に、例えば、ＦＭ−ＣＷレーダーの送信波の変調、または分光などに適用することができる。
【００４０】
なお、本実施形態において、可変位相器２０Ａは、位相回転量が電圧の２次関数に従って変化するものであるが、厳密な２次関数でなくてもよく、近似できれば良い。さらに、所定の電圧範囲に限定して成り立つ２次関数の近似でも実施可能である。
【００４１】
本発明は上記実施形態に限定されるものではなく、その要旨の範囲内で数々の変形が可能である。
【符号の説明】
【００４２】
１０   単一周波数発振器
２０   可変位相器
２０Ａ 可変位相器
２１   電圧回路
２２   伝送線路
２３   電界効果トランジスタ（ＦＥＴ）
【図１】
2011147005.tif 000009
【図２】
2011147005.tif 000010
【図３】
2011147005.tif 000011
【図４】
2011147005.tif 000012